(57)【要約】【課題】被投影面／被読取面の特性に応じたその場所固有の投影／読取制御情報を容易に得ることができて、これら投影／読取制御情報についての情報管理が簡単な光学装置及び画像出力方法を提供することを目的とする。【解決手段】筐体１に内蔵されて被投影面Ｍに画像を投影する投影部２と、筐体１を脱着可能に支持する支持部３と、支持部３に設けられ、かつ支持部３に筐体１が支持された際に投影部２に対して被投影面Ｍについての投影制御情報Ａを供給する制御部４と、を具備する。【選択図】図１
2019168616.tif 000002
【特許請求の範囲】
【請求項１】
筐体に内蔵されて被投影面に画像を投影する投影部と、
前記筐体を脱着可能に支持する支持部と、
前記支持部に前記筐体が支持されることにより、前記投影部に対して被投影面についての投影制御情報を出力する制御部と、を具備することを特徴とする光学装置。
【請求項２】
前記支持部と筐体とは、前記筐体の脱着方向と直交する断面において共通の形状を有し、
前記制御部は、前記筐体の向きによって前記投影画像の向きを切り替えることを特徴とする請求項１に記載の光学装置。
【請求項３】
前記制御部には、被投影面の位置パラメータ及び光学特性などを記録した情報記録部が設けられており、
前記制御部は、前記情報記録部に記録された投影制御情報に基づき前記投影部からの投影画像を制御する請求項１又は２に記載の光学装置。
【請求項４】
前記支持部は壁、机などの平面に固定又は載置されることを特徴とする請求項１〜３のいずれか１項に記載の光学装置。
【請求項５】
前記支持部には、前記被投影面の投影範囲を検出するための距離センサが設けられることを特徴とする請求項１〜４のいずれか１項に記載の光学装置。
【請求項６】
前記筐体には前記被投影面の画像を読み取る画像読取部がさらに設けられていることを特徴とする請求項１〜５のいずれか１項に記載の光学装置。
【請求項７】
前記制御部は、前記情報記録部に記録された読取制御情報に基づき前記画像読取部からの画像読み取りを制御する請求項６に記載の光学装置。
【請求項８】
前記画像読取部で読み取られた被投影面の模様を基にして前記投影制御情報が作成されることを特徴とする請求項６又は７に記載の光学装置。
【請求項９】
筐体に内蔵されて被読取面の画像を読み取る画像読取部と、
前記筐体を脱着自在に支持する支持部と、
前記支持部に前記筐体が支持されることにより、前記画像読取部に対して被読取面についての読取制御情報を供給する制御部と、を具備することを特徴とする光学装置。
【請求項１０】
画像を投影する投影部を有する筐体を被投影面の近傍に位置させる設置段階と、
前記設置段階で設置された前記投影部に対して前記被投影面についての投影制御情報を供給する制御情報供給段階と、
前記制御情報供給段階で得た投影制御情報に基づき、前記投影部からの投影画像を調整して前記被投影面に投影する投影段階と、を有することを特徴とする画像出力方法。
【発明の詳細な説明】
【技術分野】
【０００１】
本発明は、被投影面に画像を投影又は被投影面の画像を読み込むための光学装置及び画像出力方法に関する。
【背景技術】
【０００２】
画像投影装置に関連する技術として、特許文献１〜５に記載されたものが知られている。
特許文献１に示されるプロジェクタシステムは、壁面やテーブルなどの投射対象に画像を投射する装置であって、画像の投射方向を任意の方向に変更する変更機構、歪んだ投射画像を矩形に補正する画像処理部などを有している。
【０００３】
特許文献２に示される投影装置では、横向きや縦向きにして載置台に載置することにより、壁面等を投影面として投影したり、机上を投影面として投影したりできる構成を有する。
【０００４】
特許文献３に示されるプロジェクタは、投影光を略平行面へ向けて反射する第１の反射面と、投影光を略垂直面へ向けて反射する第２の反射面とを、投影光の光路上に切り替える反射面切替部を有し、設置面の略平行面又は略垂直面に投影光による画像を投影可能とする。
【０００５】
特許文献４に示されるプロジェクタ装置は、プロジェクタ本体に装着可能とされかつ投影手段を内蔵するアタッチメントを有する。このアタッチメントでは、プロジェクタ本体に対する装着方向を変化させることで、下方向投影、上方向投影、左方向投影又は右方向投影を可能とする。
【０００６】
特許文献５に示される撮影装置は、撮影対象物の画像の画素を選択して縮小画像を生成するとともに、選択した画素を調査対象として、歪曲補正を行い、エッジ画像を作成する画像処理装置を具備する。
【先行技術文献】
【特許文献】
【０００７】
【特許文献１】国際公開２０１５−１４６００２号公報
【特許文献２】特開２０１５−１７９１７６号公報
【特許文献３】特開２００９−０３１３３６号公報
【特許文献４】特開２００７−０９４２８８号公報
【特許文献５】特開２００５−１２２３２８号公報
【発明の概要】
【発明が解決しようとする課題】
【０００８】
特許文献１〜５に示される画像投影装置では、被投影面に投影する画像の向きを自在に変更できる旨の構成が示されている。
しかしながら、上記画像投影装置では、様々な場所での使用に対応して、被投影面に画像を鮮明に投影させるための様々な設定（画質調整等の設定）を投影器に対して多数行うことが必要となり、その設定管理が面倒であるという問題が生じていた。
【０００９】
この発明は、上記事情に鑑みてなされたものであって、被投影面／被読取面に応じた固有の情報を容易に得ることができて、投影／読取制御情報の管理が容易な光学装置及び画像出力方法を提供することを目的とする。
【課題を解決するための手段】
【００１０】
上記課題を解決するためにこの発明は以下の手段を提案している。
本発明の第1態様に示す光学装置では、筐体に内蔵されて被投影面に画像を投影する投影部と、前記筐体を脱着可能に支持する支持部と、前記支持部に前記筐体が支持されることにより、前記投影部に対して被投影面についての投影制御情報を供給する制御部と、を具備することを特徴とする。
【００１１】
本発明の第２態様に示す光学装置では、筐体に内蔵されて被読取面の画像を読み取る画像読取部と、前記筐体を脱着可能に支持する支持部と、前記支持部に前記筐体が支持されることにより、前記画像読取部に対して被読取面についての読取制御情報を供給する制御部と、を具備することを特徴とする。
【００１２】
本発明の第３態様に示す画像出力方法では、画像を投影する投影部を有する筐体を被投影面の近傍に位置させる設置段階と、前記設置段階で設置された前記投影部に対して前記被投影面についての投影制御情報を供給する制御情報供給段階と、前記制御情報供給段階で得た投影制御情報に基づき、前記投影部からの投影画像を調整して前記被投影面に投影する投影段階と、を有する。
【発明の効果】
【００１３】
本発明では、被投影面／被読取面の特性に応じた固有の制御情報の管理を容易にすることができる。
【図面の簡単な説明】
【００１４】
【図１】本発明に係る光学装置を示す概略構成図である。
【図２】本発明の第１実施形態に係る光学装置の筐体部分を示す斜視図である。
【図３】第１実施形態に係る光学装置の支持部を示す斜視図である。
【図４】第１実施形態に係る光学装置が壁面に設置された場合の例を示す斜視図である。
【図５】第１実施形態に係る光学装置の動作内容を示すフローチャートである。
【図６】本発明の第２実施形態に係る光学装置を示す斜視図である。
【図７】第２実施形態に係る光学装置の支持部を示す斜視図である。
【図８】第２実施形態に係る光学装置が壁面に設置された場合の例を示す斜視図である。
【図９】第２実施形態に係る光学装置の動作内容を示すフローチャートである。
【図１０】本発明の第３実施形態に係る光学装置を示す斜視図である。
【図１１】第３実施形態に係る光学装置の支持部を示す斜視図である。
【図１２】第３実施形態に係る光学装置が壁面に設置された場合の例を示す斜視図である。
【図１３】第３実施形態に係る光学装置の動作内容を示すフローチャートである。
【発明を実施するための形態】
【００１５】
本発明の最小構成例について図１を参照して説明する。
図１の係る光学装置１００は、筐体１に内蔵されて被投影面Ｍに画像を投影する投影部２と、筐体１を脱着可能に支持する支持部３と、投影部２に対して投影制御情報Ａを供給する制御部４と、を主な構成要素とする。
なお、図面では２箇所の支持部３が設けられた例が示されており、矢印Ｃで示すように、投影部２がいずれの支持部３にも取り付けられるようになっている。
【００１６】
制御部４は各支持部３内に設けられており、該支持部３に筐体１が支持された際に、筐体１内の投影部２に対して被投影面Ｍについての投影制御情報Ａを供給する。
なお、投影制御情報Ａとしては、被投影面Ｍの大きさ／向き／範囲などの位置パラメータ、及び被投影面Ｍの色／表面粗さ／面の凹凸／影の有無／外部照明の明るさ・むら・色合いといった光学特性パラメータなどが記憶される。
【００１７】
そして、以上のように構成された光学装置１００では、まず、投影部２を内蔵する筐体１を支持部３に取り付ける。
その後、支持部３内に位置する制御部４から投影制御情報Ａを読み込み、この投影制御情報Ａに基づき投影部２から被投影面Ｍへの画像投影を制御する。
これにより、上記光学装置１００では、支持部３内の制御部４において、被投影面Ｍの大きさ／向き／範囲などの位置パラメータ、及び被投影面Ｍの色／表面粗さ／面の凹凸／影の有無／外部照明の明るさ・むら・色合いといった光学特性パラメータ等を投影制御情報Ａとして事前に記憶しておけば、この投影制御情報Ａに基づき投影部２から被投影面Ｍへの画像投影を制御することが可能となる。
【００１８】
すなわち、上記光学装置１００では、筐体１を支持部３に取り付けるという操作を行うだけで、筐体１内の投影部２に、被投影面Ｍの特性に応じたその場所固有の投影制御情報Ａを容易に読み込めるので、投影制御情報Ａの管理を容易に行うことができる。
【００１９】
なお、上記光学装置１００では、画像を投影する投影部２を有する筐体１を被投影面Ｍの近傍に位置させる設置段階と、設置段階で設置された投影部２に対して被投影面Ｍについての投影制御情報Ａを供給する制御情報供給段階と、制御情報供給段階で得た投影制御情報Ａに基づき、投影部２からの投影画像を調整して被投影面Ｍに投影する投影段階と、からなる画像出力方法が採用されている。
【００２０】
（第１実施形態）
図１をさらに具体化した本発明の第１実施形態について、図２〜図５を参照して説明する。
実施形態に係る光学装置１０１は、図２〜図４に示されるように、筐体１１に内蔵されて被投影面Ｍに画像を投影するプロジェクタ部１２と、筐体１１を脱着可能に支持する支持トレー１３と、プロジェクタ部１２に対して投影制御情報Ａを供給する制御部１４と、を主な構成要素とする。
【００２１】
プロジェクタ部１２の筐体１１は直方体に形成されており、テーブルなどの水平面２０上にいずれの面を載置面としても自立できる（図２参照）。
支持トレー１３は、図２に示されるテーブルなどの水平面２０上に載置又は固定される他、図３及び図４に示されるように壁面などの垂直面２１にも固定される。
【００２２】
支持トレー１３の一側面には、筐体１１が差し込まれる／取り出されることで、該筐体１１を脱着自在に支持する凹部１３Ａが形成されている。
この支持トレー１３の凹部１３Ａは、差し込まれた筐体１１を直立保持させるために該筐体１１の輪郭に対応する形状となっている。
また、この支持トレー１３の凹部１３Ａでは、被投影面Ｍの位置に対応して筐体１１の向きを反転させて取り付けることもできる。
また、支持トレー１３は画像が投影可能な場所に複数箇所設置されている。
【００２３】
制御部１４は支持トレー１３に内蔵されており、該支持トレー１３に筐体１１が支持された際に、筐体１１内のプロジェクタ部１２に対して被投影面Ｍについての投影制御情報Ａを供給する。
なお、制御部１４と、筐体１１内のプロジェクタ部１２とは図示しない電極を介して接続される。
【００２４】
また、投影制御情報Ａは、各支持トレー１３にそれぞれ内蔵された制御部１４の情報記録部１５に個別に記憶される。
また、投影制御情報Ａとしては、被投影面Ｍの大きさ／向き／範囲などの位置パラメータ、及び被投影面Ｍの色／表面粗さ／面の凹凸／影の有無／外部照明の明るさ・むら・色合いといった光学特性パラメータ、さらには、被投影面の位置および／またはこれに付随する利用者の識別情報等などがあり、プロジェクタ部１２の投影場所に対応して各制御部１４の情報記録部１５にそれぞれ設定される。
【００２５】
そして、上記のような光学装置１０１では、図５に示すような手順で被投影面Ｍへの画像投影が行われる。
〔ステップＳ１〕
画像を投影する被投影面Ｍに対応した支持トレー１３に、プロジェクタ部１２が内蔵された筐体１１を取り付ける。
【００２６】
〔ステップＳ２〕
筐体１１が取り付けられた支持トレー１３に設置される制御部１４の情報記録部１５から、その箇所に対応する投影制御情報Ａを読み込む。
【００２７】
〔ステップＳ３〕
被投影面Ｍに投影する投影画像Ｐをプロジェクタ部１２に取り込む。
この投影画像Ｐは、操作者により操作されるタブレット端末等の操作端末（図示略）を介して、無線通信又は通信ケーブルを経由してプロジェクタ部１２に供給される。  
【００２８】
〔ステップＳ４〕
プロジェクタ部１２において、ステップＳ３で供給された投影画像Ｐを、ステップＳ２で読み込んだ投影制御情報Ａに基づき被投影面Ｍに対して投影する。
ここで、投影制御情報Ａには、被投影面Ｍに対して投影する投影画像Ｐの向きに関する情報も含有されており、これにより投稿画像Ｐの上部を顧客側と反対側の矢印ａ１方向とするか（図２参照）、又は投稿画像Ｐの上部を矢印ａ２方向で示す上方側とするか（図４参照）の事前設定も可能となる。これにより、実施形態の光学装置１０１では、投影画像Ｐを用いた顧客への説明、商品紹介なども効果的に行うことが可能となる。
【００２９】
〔ステップＳ５〕
操作端末から画像投影を終了する信号が出力されたか否かを判断し、ＮＯの場合に先のステップ３に戻り、ＹＥＳの場合に本フローチャートを終了する。
【００３０】
そして、以上のような光学装置１０１では、まず、プロジェクタ部１２を内蔵する筐体１１を支持トレー１３に取り付ける。その後、支持トレー１３に位置する制御部１４から投影制御情報Ａを読み込み、この投影制御情報Ａに基づきプロジェクタ部１２から被投影面Ｍへの画像投影を制御する。
【００３１】
これにより、上記光学装置１０１では、支持トレー１３内の制御部１４において、被投影面Ｍの大きさ／向き／範囲などの位置パラメータ、及び被投影面Ｍの色／表面粗さ／面の凹凸／影の有無／外部照明の明るさ・むら・色合いといった光学特性パラメータ等を投影制御情報Ａとして予め記憶しておけば、この投影制御情報Ａに基づきプロジェクタ部１２から被投影面Ｍへの画像投影を効率良く制御することが可能となる。
すなわち、上記光学装置１０１では、筐体１１を支持トレー１３に取り付けるという操作を行うだけで、筐体１１内のプロジェクタ部１２に、被投影面Ｍの特性に応じたその場所固有の投影制御情報Ａを容易に読み込めるので、投影制御情報Ａの管理を容易に行うことができる。
【００３２】
（第２実施形態）
本発明の第２実施形態について図６〜図９を参照して説明する。
なお、第２実施形態において、第１実施形態と構成を同じくする箇所に同一符号を付して重複した説明を省略する。
【００３３】
第２実施形態に示される光学装置１０２が、第１実施形態に示される光学装置１０１と構成を異にするのは、図６〜図８に示すように、支持トレー１３の台座３０の一側部に距離センサ３１が設けられている点にある。
距離センサ３１は被投影面Ｍの大きさを検出するものであって、その検出結果に基づき、投影画像Ｐの投影範囲が被投影面Ｍの大きさを越えるかの判断に使用される。
【００３４】
具体的な動作としては、図９に示されるステップＳ１０〜ステップＳ１２の処理が行われる。
すなわち、ステップＳ１０において、被投影面Ｍの大きさを検出する距離センサ３１からの検出信号を取り込んだ後、ステップＳ１１において、投影画像Ｐの投影範囲が被投影面Ｍの大きさを越えるかを判断する。
そして、ステップＳ１１において、投影画像Ｐの投影範囲が被投影面Ｍの大きさを越えないＹＥＳと判断した場合に、プロジェクタ部１２から被投影面Ｍへの画像投影を行なう。また、ステップＳ１１において、投影画像Ｐの投影範囲が被投影面Ｍの大きさを越えるＮＯの場合に、次のステップＳ１２にて投影制御情報Ａに設定される被投影面Ｍの大きさ修正を行なった後、先のステップＳ２に戻る。
【００３５】
以上のように構成された第２実施形態の光学装置１０２では、距離センサ３１は被投影面Ｍの大きさを検出する距離センサ３１を設け、該距離センサ３１の検出結果に基づき、投影画像Ｐの投影範囲が被投影面Ｍの大きさを越えるか判断するようにした。
そして、上記光学装置１０２では、投影画像Ｐの投影範囲が被投影面Ｍの大きさを越える場合に、投影制御情報Ａの設定内容を適宜書き換えるようにしたので、常時最適な大きさの投影画像Ｐを被投影面Ｍに対して照射することが可能となる。
【００３６】
（第３実施形態）
本発明の第３実施形態について図１０〜図１３を参照して説明する。
なお、第３実施形態において、第１実施形態と構成を同じくする箇所に同一符号を付して重複した説明を省略する。
【００３７】
第３実施形態に示される光学装置１０３が、第１実施形態に示される光学装置１０１と構成を異にするのは、図１０〜図１２に示すように、支持トレー１３の凹部１３Ａに、画像投影用のプロジェクタ部１２とともに、画像読取用のスキャナ部４０が設置される点にある。
このスキャナ部４０は筐体４１に内蔵されるものであって、支持トレー１３の凹部１３Ａ内にてプロジェクタ部１２の筐体１１と隣接配置される。
【００３８】
そして、このようなスキャナ部４０は被投影面Ｍに投影された投影画像Ｐを読み取るとともに、該投影画像Ｐに追加された情報、例えば、図１２に示すように貼り付けられた付箋４２上の記載文字も読み取ることができる。
【００３９】
また、上記光学装置１０３ではスキャナ部４０が追加されることにより、支持トレー１３に内蔵される制御部１４の情報記録部１５に、前述の投影制御情報Ａとともに、スキャナ部４０に対応した読取制御情報Ｂを事前に記憶させるようにしても良い。この読取制御情報Ｂとしては、被投影面Ｍの大きさ／範囲などの位置パラメータなどがある。
【００４０】
また、制御部１４の情報記録部１５に記憶される読取制御情報Ｂは、スキャナ部４０で得た被投影面Ｍの読取画像に基づき、該スキャナ部４０での読取範囲が適正となるようにフィードバックした修正をしても良い。
同様に、スキャナ部４０で得た被投影面Ｍの読取画像に基づき、被投影面Ｍの色／表面粗さ／面の凹凸を分析して、前述したプロジェクタ部１２に係る投影制御情報Ａを調整しても良い。
【００４１】
また、スキャナ部４０が追加されたことによる光学装置１０３の具体的な動作として、図１３に示されるフローチャートのステップＳ２´にて、プロジェクタ部１２及びスキャナ部４０が設置され支持トレー１３内の情報記録部１５から、その箇所に対応する投影制御情報Ａ及び読取制御情報Ｂを読み込む処理を行ない、かつステップＳ３０及びＳ３１の処理を追加で実施する。
具体的には、ステップＳ３０にて、操作者から画像読取の指示があった場合に、読取制御情報Ｂに基づきスキャナ部４０に対して被投影面Ｍの大きさに対応した画像読取を行わせる。その後、ステップＳ３１にて、ステップＳ３０で読み取った画像を記憶させる処理を行わせる。
【００４２】
以上のように構成された第３実施形態の光学装置１０３では、支持トレー１３の凹部１３Ａに、画像投影用のプロジェクタ部１２とともに、画像読取用のスキャナ部４０が設置されることで、投影画像Ｐに追加された付箋４２上の文字情報等も読み取ることができ、顧客との面談記録作成に利用することが可能となる。
【００４３】
なお、上記第３実施形態では、支持トレー１３に、画像投影用のプロジェクタ部１２とともに、画像読取用のスキャナ部４０が設置される例を示したが、これに限定されず、支持トレー１３に画像読取用のスキャナ部４０のみを設置するようにしても良い。
【００４４】
（変形実施例１）
上記実施形態では、支持トレー１３内の制御部１４に予め記憶させた投影制御情報Ａ及び読取制御情報Ｂに基づき、プロジェクタ部１２による画像投影、スキャナ部４０による画像読取を制御したが、このようなソフトによる制御ではなく、支持トレー１３の内部に物理的に設けた突起を制御部としても良い。
すなわち、支持トレー１３の凹部１３Ａ内に、プロジェクタ部１２の筐体１１及びスキャナ部４０の筐体４１の向きを微小に調整する突起を設け、この突起を介してプロジェクタ部１２による画像投影位置、スキャナ部４０による画像読取位置を調整するようにしても良い。
【００４５】
（変形実施例２）
上記実施形態では、支持トレー１３の凹部１３Ａに、プロジェクタ部１２の筐体１１及びスキャナ部４０の筐体４１を脱着自在に設けたが、この結合方式として、筐体１１・４１側に凹状部を形成し、かつ支持トレー１３側に凸状部を形成する構造を用いても良い。
また、上記実施形態では、凹状部の内部空間、及びこれに結合される凸状部を四角形状としたが、これに限定されず、円筒形状としても良い。すなわち、支持部と投影部の筐体とが、その抜き差し方向と直交する断面において、ほぼ一致する形状とされていれば良い。
なお支持トレー（支持部）がプロジェクタ部（投影部）を支持するための具体的な構成は、抜き差し自在な構成に限定されるものではなく、ある程度恒久的に固定される場合であっても、建物の取り壊しを伴うことなく取り付け、取り外すことができる限り、他の固着方式、例えば、壁に設けられた窪みへの挿入、壁に設けられて単に支持部を引っかける凹凸、プロジェクタ部を収容しかつ光線を透過させる窓や開口を備えた筐体、さらには、ボルト、ナットを用いる構造であっても良い。また、単にテーブルの所定位置に載置しても良い。
【００４６】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４７】
本発明は、被投影面に画像を投影又は被投影面の画像を読み込むための光学装置及び画像出力方法に関する。
【符号の説明】
【００４８】
１  筐体
２  投影部
３  支持部
４  制御部
１１  筐体
１２  プロジェクタ部
１３  支持トレー
１３Ａ  凹部
１４  制御部
１５  情報記録部
２０  水平面
２１  垂直面
３１  距離センサ
４０  スキャナ部
４１  筐体
１００  光学装置
１０１  光学装置
１０２  光学装置
１０３  光学装置
Ａ  投影制御情報
Ｍ  被投影面
Ｐ  投影画像
【図１】
2019168616.tif 000003
【図２】
2019168616.tif 000004
【図３】
2019168616.tif 000005
【図４】
2019168616.tif 000006
【図５】
2019168616.tif 000007
【図６】
2019168616.tif 000008
【図７】
2019168616.tif 000009
【図８】
2019168616.tif 000010
【図９】
2019168616.tif 000011
【図１０】
2019168616.tif 000012
【図１１】
2019168616.tif 000013
【図１２】
2019168616.tif 000014
【図１３】
2019168616.tif 000015
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
筐体に内蔵されて被投影面に画像を投影する投影部と、
前記筐体を脱着可能に支持する支持部と、
前記支持部に前記筐体が支持されることにより、前記投影部に対して被投影面についての投影制御情報を出力する制御部と、を具備し、
前記支持部と筐体とは、前記筐体の脱着方向と直交する断面において共通の形状を有し、
前記制御部には、被投影面の位置パラメータ及び光学特性を含む被投影面の投影制御情報を予め記録した情報記録部が設けられており、
前記制御部は、前記情報記録部に記録された投影制御情報に基づき前記投影部からの投影画像を制御し、
前記支持部は壁又は机の所定位置に支持される
ことを特徴とする光学装置。
【請求項２】
前記支持部には、前記被投影面の投影範囲を検出するための距離センサが設けられることを特徴とする請求項１に記載の光学装置。
【請求項３】
前記筐体には前記被投影面の画像を読み取る画像読取部がさらに設けられていることを特徴とする請求項１または２のいずれか１項に記載の光学装置。
【請求項４】
前記制御部は、前記情報記録部に記録された読取制御情報に基づき前記画像読取部からの画像読み取りを制御する請求項３に記載の光学装置。
【請求項５】
前記画像読取部で読み取られた被投影面の模様を基にして前記投影制御情報が作成されることを特徴とする請求項３又は４のいずれか１項に記載の光学装置。
【請求項６】
筐体に内蔵されて被読取面の画像を読み取る画像読取部と、
前記筐体を脱着自在に支持する支持部と、
前記支持部に前記筐体が支持されることにより、前記画像読取部に対して被読取面についての読取制御情報を供給する制御部と、を具備し、
前記支持部と筐体とは、前記筐体の脱着方向と直交する断面において共通の形状を有し、
前記制御部には、被読取面の位置パラメータ及び光学特性を含む被読取面の読取制御情報を予め記録した情報記録部が設けられており、
前記制御部は、前記情報記録部に記録された読取制御情報に基づき前記投影部からの投影画像を制御し、
前記支持部は壁又は机の所定位置に支持される
ことを特徴とする光学装置。
【請求項７】
画像を投影する投影部を有する筐体を被投影面の近傍に位置させる設置段階と、
前記設置段階で設置された前記投影部に対して前記被投影面についての投影制御情報を供給する制御情報供給段階と、
前記制御情報供給段階で得た投影制御情報に基づき、前記投影部からの投影画像を調整して前記被投影面に投影する投影段階と、を有し、
壁又は机の所定位置に支持される支持部は、前記筐体と、前記筐体の脱着方向と直交する断面において共通の形状を有し、
被投影面の位置パラメータ及び光学特性を含む被投影面の投影制御情報を予め記録した情報記録部が前記支持部に設けられており、
前記制御情報供給段階は、前記情報記録部に記録された投影制御情報に基づき投影画像を制御する、
ことを特徴とする画像出力方法。
【手続補正書】
【提出日】令和1年7月22日(2019.7.22)
【手続補正１】
【補正対象書類名】特許請求の範囲
【補正対象項目名】請求項６
【補正方法】変更
【補正の内容】
【請求項６】
筐体に内蔵されて被読取面の画像を読み取る画像読取部と、
前記筐体を脱着自在に支持する支持部と、
前記支持部に前記筐体が支持されることにより、前記画像読取部に対して被読取面についての読取制御情報を供給する制御部と、を具備し、
前記支持部と筐体とは、前記筐体の脱着方向と直交する断面において共通の形状を有し、
前記制御部には、被読取面の位置パラメータ及び光学特性を含む被読取面の読取制御情報を予め記録した情報記録部が設けられており、
前記制御部は、前記情報記録部に記録された読取制御情報に基づき投影部からの投影画像を制御し、
前記支持部は壁又は机の所定位置に支持される
ことを特徴とする光学装置。